(57)【要約】      （修正有） 【課題】氷水を生じると共に、氷水の流速を制御可能な抽出装置を提供する。【解決手段】水入り部１０と、第１容器２０と、を備え、水入り部１０及び第１容器２０と連接するように、水入り部１０と第１容器２０との間に、温度制御流路が設けられており、温度制御流路には、水入り部と連通する、入り口と、出口とが設けられている温度制御弁装置３０と、温度制御弁装置３０と第１容器２０との間に、第１容器２０内及び温度制御弁装置３０の出口と連通し、被抽出物を収容可能な支持環状部２１と、を備える。     【選択図】図２
0003215990.tif 000002
【実用新案登録請求の範囲】
【請求項１】
水入り部と、     
第１容器と、     
前記水入り部及び前記第１容器と連接するように、前記水入り部と前記第１容器と
の間に設けられており、温度制御流路が設けられており、前記温度制御流路には、前記水
入り部と連通する、入り口と、出口とが設けられている温度制御弁装置と、     
前記温度制御弁装置と前記第１容器との間に設けられており、前記第１容器内及び
前記温度制御弁装置の前記出口と連通し、被抽出物を収容可能な支持環状部と、     
を備えることを特徴とする抽出装置。     
【請求項２】
更に、導流部材を備え、前記導流部材は、前記水入り部と前記温度制御弁装置との
間に設けられており、前記導流部材には、前記水入り部に差し込まれる導流凸部と、前記
水入り部と連通する排液口とが設けられていることを特徴とする、請求項１に記載の抽出
装置。     
【請求項３】
前記水入り部に水入り端部が設けられており、更に、弾性付き導流構造を備え、前
記弾性付き導流構造は前記水入り端部に設けられており、前記弾性付き導流構造に導流穴
が設けられており、前記導流部材の導流凸部は前記導流穴に差し込まれることにより、前
記導流凸部と前記導流穴との間に導流隙間が形成され、前記導流隙間は前記水入り部及び
前記排液口と連通することを特徴とする、請求項２に記載の抽出装置。     
【請求項４】
前記導流部材は受け盤であり、前記導流凸部は前記受け盤の底部に設けられており
、前記水入り部に水入り端部が設けられており、前記導流凸部は前記水入り端部に差し込
んだことを特徴とする、請求項２に記載の抽出装置。     
【請求項５】
更に、環状プラグが設けられており、前記環状プラグは前記水入り端部を嵌めるよ
うに設けられており、前記環状プラグには、前記受け盤の内壁に当接する外環壁が設けら
れていることを特徴とする、請求項４に記載の抽出装置。     
【請求項６】
前記水入り端部に第１当接段が設けられており、前記受け盤には、前記第１当接段
と連接可能な第２当接段が設けられており、前記第１当接段及び前記第２当接段のうちの
少なくとも一つは、前記受け盤の底部へ徐々に縮径することを特徴とする、請求項４に記
載の抽出装置。     
【請求項７】
更に、第２容器を備え、前記第２容器は、前記支持環状部に設けられており、前記
温度制御流路の前記出口及び前記第１容器と連通し、前記第２容器は前記被抽出物を収容
可能であることを特徴とする、請求項１に記載の抽出装置。     
【請求項８】
前記温度制御弁装置は、断熱材質を採用する本体と、伝熱弁ユニットと、熱電チッ
プユニットと、を備え、前記本体は、温度制御流路と、前記温度制御流路と連通する入り
口と、前記温度制御流路と連通する出口と、を有し、前記伝熱弁ユニットは、前記本体に
対して移動可能な金属チューブであり、前記金属チューブには、進入端と、出口端とが設
けられており、前記進入端と前記出口端とは、同じ直線に位置せず、前記金属チューブは
、軸方向の一端が前記本体に嵌め設けられている封止端であり、他端が前記本体の外部で
操作して前記伝熱弁ユニットを動き可能な操作端であり、前記操作端を操作することによ
り、前記入り口、前記出口、前記進入端及び前記出口端の間が連通し、又は連通しない状
態を制御可能であり、前記熱電チップユニットは、第１端と、第２端と、を有し、前記本
体の一側に設けられており、前記熱電チップユニットの前記第１端は、前記封止端に当接
して熱交換を行い、前記第１端及び前記第２端のうちの一方は冷い端であり、他方は熱い
端であることを特徴とする、請求項１から請求項７の何れかの１項に記載の抽出装置。  
【請求項９】
更に、チューブを含み、前記チューブの両端は、前記水入り部及び前記第１容器と
それぞれ接続し、前記温度制御弁装置は前記チューブ内に設けられていることを特徴とす
る、請求項８に記載の抽出装置。     
【請求項１０】
前記水入り部は容器であり、更に、前記容器の開口を脱着可能に被る蓋を備え、前
記導流部材は受け盤であり、前記導流凸部は前記受け盤の底部に設けられており、前記弾
性付き導流構造は、互いに離間するように前記水入り端部に環設されている複数の弾性シ
ートを備え、前記複数の弾性シートは前記導流穴を構成し、更に、環状プラグが設けられ
ており、前記環状プラグは前記水入り端部に嵌め設けられており、前記環状プラグには、
前記受け盤の内壁に押付ける外環壁が設けられており、前記環状プラグの前記外環壁には
、軸方向に沿って設けられ径方向に沿って伸びる複数のシールリングが設けられており、
前記複数のシールリングは、それぞれ前記受け盤の内壁に押付け、前記導流凸部は、前記
水入り部へ徐々に縮径する円錐体であり、更に、第２容器を備え、前記第２容器は、前記
支持環状部に設けられており、前記温度制御流路の前記出口及び前記第１容器と連通し、
前記第２容器は前記被抽出物を収容可能であることを特徴とする、請求項３に記載の抽出
装置。     
【考案の詳細な説明】
【技術分野】
【０００１】
本考案は、抽出装置に関するものである。     
【背景技術】
【０００２】
抽出の過程中には、上ポット体とろ過ユニットとの間に、氷水の流速を制御するた
めの弁を設けることが一般的である。     
【０００３】
しかしながら、このようなコーヒーアイスドリップ技術は、大量のアイスキューブ
を事前に作製して、上ポット体にアイスキューブを入れてアイスキューブを溶けることが
必要である。冷凍及び溶化の過程中に、エネルギーの必要ないロスが多く、溶けた氷水が
断熱機能を有しない管路を流すと、外部と熱交換を行うため、氷水の温度が上昇して、ア
イスドリップコーヒーの抽出品質が降下する虞がある。そしてこのような装置全体の体積
がより大きいため、運搬が容易ではなく、極めて不便である。     
【考案の概要】
【考案が解決しようとする課題】
【０００４】
本考案の主な目的は、氷水を生じると共に、氷水の流速を制御可能な抽出装置を提
供することにある。     
【課題を解決するための手段】
【０００５】
本考案の抽出装置によると、水入り部と、第１容器と、水入り部及び第１容器と連
接するように、水入り部と第１容器との間に設けられており、温度制御流路が設けられて
おり、温度制御流路には、水入り部と連通する、入り口と、出口とが設けられている温度
制御弁装置と、温度制御弁装置と第１容器との間に設けられており、第１容器内及び温度
制御弁装置の出口と連通し、被抽出物を収容可能な支持環状部と、を備えることを特徴と
する。     
【０００６】
本考案の抽出装置によると、更に、導流部材を備え、導流部材は、水入り部と温度
制御弁装置との間に設けられており、導流部材には、水入り部に差し込まれる導流凸部と
、水入り部と連通する排液口とが設けられていることを特徴とする。     
【０００７】
本考案の抽出装置によると、水入り部に水入り端部が設けられており、更に、弾性
付き導流構造を備え、弾性付き導流構造は水入り端部に設けられており、弾性付き導流構
造に導流穴が設けられており、導流部材の導流凸部は導流穴に差し込まれることにより、
導流凸部と導流穴との間に導流隙間が形成され、導流隙間は水入り部及び排液口と連通す
ることを特徴とする。     
【０００８】
本考案の抽出装置によると、導流部材は受け盤であり、導流凸部は受け盤の底部に
設けられており、水入り部に水入り端部が設けられており、導流凸部は水入り端部に差し
込んだことを特徴とする。     
【０００９】
本考案の抽出装置によると、更に、環状プラグが設けられており、環状プラグは水
入り端部を嵌めるように設けられており、環状プラグには、受け盤の内壁に当接する外環
壁が設けられていることを特徴とする。     
【００１０】
本考案の抽出装置によると、水入り端部に第１当接段が設けられており、受け盤に
は、第１当接段と連接可能な第２当接段が設けられており、第１当接段及び第２当接段の
うちの少なくとも一つは、受け盤の底部へ徐々に縮径することを特徴とする。     
【００１１】
本考案の抽出装置によると、更に、第２容器を備え、第２容器は、支持環状部に設
けられており、温度制御流路の出口及び第１容器と連通し、第２容器は被抽出物を収容可
能であることを特徴とする。     
【００１２】
本考案の抽出装置によると、温度制御弁装置は、断熱材質を採用する本体と、伝熱
弁ユニットと、熱電チップユニットと、を備え、本体は、温度制御流路と、温度制御流路
と連通する入り口と、温度制御流路と連通する出口と、を有し、伝熱弁ユニットは、本体
に対して移動可能な金属チューブであり、金属チューブには、進入端と、出口端とが設け
られており、進入端と出口端とは、同じ直線に位置せず、金属チューブは、軸方向の一端
が本体に嵌め設けられている封止端であり、他端が本体の外部で操作して伝熱弁ユニット
を動き可能な操作端であり、操作端を操作することにより、入り口、出口、進入端及び出
口端の間が連通し、又は連通しない状態を制御可能であり、熱電チップユニットは、第１
端と、第２端と、を有し、本体の一側に設けられており、熱電チップユニットの第１端は
、封止端に当接して熱交換を行い、第１端及び第２端のうちの一方は冷い端であり、他方
は熱い端であることを特徴とする。     
【００１３】
本考案の抽出装置によると、更に、チューブを含み、チューブの両端は、水入り部
及び第１容器とそれぞれ接続し、温度制御弁装置はチューブ内に設けられていることを特
徴とする。     
【００１４】
本考案の抽出装置によると、水入り部は容器であり、更に、容器の開口を脱着可能
に被る蓋を備え、導流部材は受け盤であり、導流凸部は受け盤の底部に設けられており、
弾性付き導流構造は、互いに離間するように水入り端部に環設されている複数の弾性シー
トを備え、複数の弾性シートは導流穴を構成し、更に、環状プラグが設けられており、環
状プラグは水入り端部に嵌め設けられており、環状プラグには、受け盤の内壁に押付ける
外環壁が設けられており、環状プラグの外環壁には、軸方向に沿って設けられ径方向に沿
って伸びる複数のシールリングが設けられており、複数のシールリングは、それぞれ受け
盤の内壁に押付け、導流凸部は、水入り部へ徐々に縮径する円錐体であり、更に、第２容
器を備え、第２容器は、支持環状部に設けられており、温度制御流路の出口及び第１容器
と連通し、第２容器は被抽出物を収容可能であることを特徴とする。     
【考案の効果】
【００１５】
本考案の抽出装置によれば、氷水を生じると共に、氷水の流速を制御可能であると
いう効果を有する。     
【図面の簡単な説明】
【００１６】
【図１】本考案の実施の形態に係る抽出装置を示す斜視図である。
【図２】本考案の実施の形態に係る抽出装置を示す分解斜視図である。
【図３】本考案の実施の形態に係る抽出装置を示す断面図である。
【図４】本考案の実施の形態に係る弾性付き導流構造を示す斜視図である。
【図５】本考案の実施の形態に係る抽出装置を示す別の断面図である。
【図６】図５の一部を示す拡大図である。
【考案を実施するための形態】
【００１７】
以下、本考案の実施の形態を図面に基づいて説明する。     
【００１８】
図１から図６を参照する。本考案の実施の形態に係る抽出装置は、水入り部１０と
、第１容器２０と、支持環状部２１と、温度制御弁装置３０と、を備える。     
【００１９】
水入り部１０は、流体を流入可能である。本実施の形態では、水入り部１０は、容
器であり、適当量の水を収容可能である。温度制御弁装置３０は、水入り部１０及び第１
容器２０と接続するように、水入り部１０と第１容器２０との間に設けられている。温度
制御弁装置３０に温度制御流路３４が設けられている。温度制御流路３４には、水入り部
１０と連通する入り口３４１と、支持環状部２１と連通する出口３４２とが設けられてい
る。支持環状部２１は、第１容器２０と温度制御弁装置３０との間に設けられている。支
持環状部２１は、第１容器２０内及び温度制御弁装置３０の出口３４２と連通する。支持
環状部２１は被抽出物を収容可能である。前記被抽出物は、例えばろ過式の淹れ飲み物ま
たは淹れ粉末（例えばコーヒー粉）である。本実施の形態では、支持環状部２１は前記被
抽出物を収容可能な環状枠である。これにより、氷水を生じ可能であり、そして氷水の流
速を制御可能であり、コーヒーなどを抽出可能である。     
【００２０】
抽出装置は、更に、水入り部１０の開口を脱着可能に被る蓋１４を備える。     
【００２１】
本実施の形態では、前記抽出装置は、更に、導流部材４０を備える。導流部材４０
は、水入り部１０と温度制御弁装置３０との間に設けられている。導流部材４０には、水
入り部１０に差し込まれる導流凸部４１と、水入り部１０と連通する排液口４２とが設け
られている。これにより、水入り部１０の流体を控制弁装置３０に徐々に誘導可能である
。本実施の形態では、導流部材４０が受け盤である。導流凸部４１は前記受け盤の底部に
設けられている。水入り部１０に水入り端部１３が設けられている。本実施の形態では、
導流凸部４１は水入り端部１３に差し込む。導流部材４０は、水入り端部１３に設けられ
ており、水入り部１０から流出する流体を受け可能である。水入り端部１３に第１当接段
１３１が設けられていることが好ましい。前記受け盤には、第１当接段１３１と連接可能
な第２当接段４３が設けられている。第１当接段１３１及び第２当接段４３のうちの少な
くとも一つは、前記受け盤の底部へ徐々に縮径する。本実施の形態では、第１当接段１３
１と第２当接段４３とは、前記受け盤の底部へ徐々に縮径する。これにより、水入り部１
０に導流部材４０を安定的に設置可能である。     
【００２２】
前記抽出装置は、更に、弾性付き導流構造５０を備える。弾性付き導流構造５０は
水入り端部１３に設けられている。弾性付き導流構造５０に導流穴５３が設けられている
。導流部材４０の導流凸部４１は導流穴５３に差し込むことにより、導流凸部４１と導流
穴５３との間に導流隙間５１が形成される。導流隙間５１は、水入り部１０内及び排液口
４２と連通する。弾性付き導流構造５０は、互いに分離するように水入り端部１３に環設
されている複数の弾性シート５２を備えることが好ましい。複数の弾性シート５２は導流
穴５３を構成する。導流穴５３は、一字形、スター形状、又は十字形を呈し、流出しよう
とする流体の流量によって調整する。本実施の形態では、複数の弾性シート５２は、ゴム
、又はその他のフレキシブルな材質を採用する。これにより、水入り部１０内の流体の大
量の流出を防止可能である。詳細的には、導流凸部４１は、水入り部１０へ徐々に縮径す
る円錐体であり、前記円錐体の弾性付き導流構造５０に対する移動を調整することにより
、導流隙間５１の寸法を調整可能である。     
【００２３】
前記抽出装置には、更に、環状プラグ６０が設けられている。環状プラグ６０は、
水入り端部１３に嵌め設けられている。環状プラグ６０には、前記受け盤の内壁に押付け
る外環壁が設けられている。本実施の形態では、環状プラグ６０の外環壁には、軸方向に
沿って設けられ径方向に沿って伸びる複数のシールリング６２が設けられている。複数の
シールリング６２は、それぞれ前記受け盤の内壁に押付けることにより、流体が前記受け
盤から溢れることを回避可能である。別の実施の形態では、前記環状プラグは、変形可能
なゴム体であり、その径方向の断面寸法が、前記受け盤の径方向の断面寸法よりやや大き
くてもよい。これにより、前記環状プラグの外環壁は、径方向に沿って前記受け盤の内壁
に押付けることにより、シール効果が極めて良い。     
【００２４】
前記抽出装置は、更に、第２容器７０を備える。第２容器７０は、支持環状部２１
に設けられており、温度制御流路３４の出口３４２及び第１容器２０と連通する。第２容
器７０は、前記被抽出物（例えばコーヒー粉、茶葉など）を収容可能である。第２容器７
０には、第１容器２０と連通する複数のろ過穴７１が設けられている。本実施の形態では
、第２容器７０が支持環状部２１と係合し、第２容器７０が支持環状部２１から容易に離
脱することはない。別の実施の形態では、第２容器７０が支持環状部２１を跨ってもよい
。これにより、脱着が便利となる。     
【００２５】
一方、温度制御弁装置３０は、断熱材質を採用する本体３１と、伝熱弁ユニット３
２と、熱電チップユニット３３と、を備える。本体３１は、温度制御流路３４と、温度制
御流路３４と連通する入り口３４１と、温度制御流路３４と連通する出口３４２と、を有
する。具体的には、本体３１は、樹脂またはその他の非金属を採用してもよい。これによ
り、より良い断熱効果を得ることが可能である。     
【００２６】
本実施の形態では、伝熱弁ユニット３２は、本体３１に対して相対的に移動可能な
金属チューブである。本実施の形態では、前記金属チューブが銅管である。別の実施の形
態では、前記金属チューブはその他の材質を採用してもよい。前記金属チューブには、進
入端３５１と、出口端３５２とが設けられている。進入端３５１と出口端３５２とは、同
じ直線に位置しないことにより、流入する流体は、先に前記金属チューブの内壁と熱交換
を行って、出口端３５２から流出する。前記金属チューブは、軸方向の一端が本体３１に
嵌め設けられている封止端３５３であり、他端が、本体３１の外部から操作して、伝熱弁
ユニット３２を動き可能な操作端３５４である。操作端３５４を操作することにより、入
り口３４１、出口３４２、進入端３５１及び出口端３５２の間が連通し、又は連通しない
状態を制御可能である。もちろん、前記金属チューブ及びその流路はその他の形状を呈し
てもよい。これにより、流体との接触面積を増加可能であり、熱交換の効果を増加可能で
ある。例えば、前記金属チューブの流路は、管徑が前記金属チューブの管径よりやや小さ
い複数のチューブを交錯に設けて、入り口３４１から前記金属チューブに流入する流体を
、先に熱交換を行って、出口３４２から排出する。熱電チップユニット３３は、第１端３
３１と、第２端３３２と、を有し、本体３１の一側に設けられている。熱電チップユニッ
ト３３の第１端３３１は、封止端３５３に当接し、熱交換を行う。第１端３３１及び第２
端３３２のうちの一方は冷い端であり、他方は熱い端である。更に、封止端３５３と熱電
チップユニット３３との間に伝熱樹脂層を設けてもよい。これにより、熱交換の効率を増
加可能である。     
【００２７】
操作端３５４は、前記金属チューブの他端と連接する。本実施の形態では、操作端
３５４は本体３１に対して回転可能なツマミである。具体的には、前記ツマミは、例えば
本体３１に対して回転し、又は軸方向に沿って移動可能である。前記ツマミを回転するこ
とにより、入り口３４１及び出口３４２と進入端３５１及び出口端３５２が連通し、又は
連通しない状態を制御可能である。もちろん、前記ツマミの旋回角度を調整することによ
り、流体の速度を制御してもよい。これにより、流体の温度の上昇及び降下を制御可能で
ある。本実施の形態では、熱電チップユニット３３は、更に、電気ソケット８０と電気的
に接続することにより、外部の電源と電気的に接続可能である。別の実施の形態では、前
記熱電チップユニットが蓄電ユニットと電気的に接続して、前記蓄電ユニットからの電力
を受けてもよい。     
【００２８】
前記抽出装置は、更に、チューブ９０を備える。チューブ９０は、一端が水入り部
１０と接続し、他端が第１容器２０と接続する。温度制御弁装置３０は、チューブ９０内
に設けられていることにより、チューブ９０に保護される。チューブ９０は放熱材質９１
を採用し、チューブ９０に放熱構造が複数設けられていることが好ましい。本実施の形態
では、前記複数の放熱構造が放熱穴または放熱片である。これにより、温度制御弁装置３
０の放熱効率を増加可能である。     
【００２９】
上記では、種々の実施の形態および変形例を説明したが、本考案はこれらの内容に
限定されるものではない。本考案の技術的思想の範囲内で考えられるその他の態様も本考
案の範囲内に含まれる。     
【符号の説明】
【００３０】
１０    水入り部     
１３    水入り端部     
１４    蓋     
２０    第１容器     
２１    支持環状部     
３０    温度制御弁装置     
３１    本体     
３２    伝熱弁ユニット     
３３    熱電チップユニット     
３４    温度制御流路     
４０    導流部材     
４１    導流凸部     
４２    排液口     
４３    第２当接段     
５０    弾性付き導流構造     
５１    導流隙間     
５２    弾性シート     
５３    導流穴     
６０    環状プラグ     
６２    シールリング     
７０    第２容器     
７１    ろ過穴     
８０    電気ソケット     
９０    チューブ     
９１    放熱材質     
１３１    第１当接段     
３３１    第１端     
３３２    第２端     
３４１    入り口     
３４２    出口     
３５１    進入端     
３５２    出口端     
３５３    封止端     
３５４    操作端     
【図１】
0003215990.tif 000003
【図２】
0003215990.tif 000004
【図３】
0003215990.tif 000005
【図４】
0003215990.tif 000006
【図５】
0003215990.tif 000007
【図６】
0003215990.tif 000008